(57)【要約】      （修正有）【課題】白判定条件の正しさを目視で判定しうることにより、白判定条件の調整を容易にする画像処理装置を提供すること。【解決手段】画像信号を入力する画像入力手段１１と、画像信号を白判定条件に基づき画素単位で白範囲を判定する白判定手段１３と、白判定手段１３における白判定の結果選定された色情報を白判定した画像情報に重畳する画像信号重畳手段１４と、重畳した画像情報を出力する画像出力手段１５と、白判定条件を調整する白判定条件調整手段１６とを有することにより、画像出力信号に重畳した白判定結果を目視で判断可能にしたため、白判定条件の正しさを正しく判断することができ、白判定条件の調整が容易になる。【選択図】  図１
2004179939.tif 000002
【特許請求の範囲】
【請求項１】
画像信号を入力する画像入力手段と、前記画像信号を白判定条件に基づき画素単位で白範囲を判定する白判定手段と、前記白判定手段における白判定の結果選定された色情報を白判定した画像情報に重畳する画像信号重畳手段と、重畳した前記画像情報を出力する画像出力手段と、前記白判定条件を調整する白判定条件調整手段とを有することを特徴とする画像処理装置。
【請求項２】
前記画像信号重畳手段は、白範囲と判定された画素に指定された固有の色を割り当てることを特徴とする請求項１記載の画像処理装置。
【請求項３】
前記画像信号重畳手段は、前記白判定手段における入力画像信号のサンプリング間隔より前記画像情報を重畳する間隔を落とすことを特徴とする請求項１または２記載の画像処理装置。
【請求項４】
前記画像信号重畳手段は、前記白判定手段における白判定の結果前記白判定条件を満たさなかった画素の白判定結果情報に対応する設定色を前記白判定条件を満たさなかった画素に重畳することを特徴とする請求項１記載の画像処理装置。
【請求項５】
前記画像処理装置は、画像信号処理手段において入力画像信号をディジタル入力画像データに変換し、前記白判定手段は白判定結果情報を数値データで出力し、前記画像信号重畳手段は前記ディジタル入力画像データに対し前記数値データを重畳することを特徴とする請求項１ないし４のいずれかに記載の画像処理装置。
【請求項６】
前記画像信号重畳手段は、白判定結果情報とともにまたは単独で白判定結果以外の画像情報を前記ディジタル入力画像データに重畳させることを特徴とする請求項５記載の画像処理装置。
【請求項７】
複数条件の光源下における白パターンを１画面に収めた複数のパターン画像を収納し、前記白判定条件調整手段による前記白判定条件の調整で、被写体として使用する画像チャート板を有することを特徴とする請求項１ないし６のいずれかに記載の画像処理装置。
【請求項８】
画像信号を入力する工程と、前記画像信号を白判定条件に基づき画素単位で白範囲を判定する工程と、前記白判定の結果選定された色情報を白判定した画像情報に重畳する工程と、重畳した前記画像情報を出力する工程と、前記白判定条件を調整する工程とを有することを特徴とする画像処理方法。
【請求項９】
コンピュータに、画像信号を入力する工程と、前記画像信号を白判定条件に基づき画素単位で白範囲を判定する工程と、前記白判定の結果選定された色情報を白判定した画像情報に重畳する工程と、重畳した前記画像情報を出力する工程と、前記白判定条件を調整する工程とを実行させるためのプログラム。
【請求項１０】
請求項９に記載のプログラムを記録したコンピュータ読み取り可能な記録媒体。
【発明の詳細な説明】
【０００１】
【発明の属する技術分野】
本発明は、画像信号処理装置に関し、詳しくは、入力画像の白判定条件を調整する画像処理装置に関するものである。
【０００２】
【従来の技術】
人間の目には、異なる光源のもとでも、白い物体を白と認識する色順応という機能がある。その機能を模して、異なった光源のもとでも白い物体が白く見えるように色ゲインを自動調整する機能をオートホワイトバランスと言う。
最も単純なオートホワイトバランスの方式としては、世の中の被写体の色を全て加算すると無彩色（白）になるという仮説（エバンスの原理）に従い、画像全体の色の総和を無彩色に制御する方法がある。しかし、この方法では、例えば一面緑の芝生を写した場合などには芝生全体が白く見え、制御として破綻するのは明白である。
そこで、主要な光源下に白い物体を置いたときに白の範囲を規定し、その範囲内の画素のみをオートホワイトバランスの対象とする白判定方法が研究されている。
【０００３】
また、従来の白判定方法としては、図１０に示すようなものがあった。図１０において、太矢印線１０１は被写体の色の評価軸を表し、縦軸はＲ／Ｇ、横軸はＢ／Ｇである（ここで、Ｒは赤、Ｇは緑、Ｂは青を示す）。曲線１０２は、黒体放射軌跡であり、光源の色温度が低いほど赤く、高いほど青に推移する。白い物体は光源の色の影響を受けるため、光源と同様に黒体放射軌跡１０２上、および、その周辺を推移する。４本の細実線１０３は、白判定条件、すなわち、白判定の範囲を示す条件式（後述する）を示し、この４つの条件を満たす網掛け領域１０４が、白と判定される。
【０００４】
白判定方法の改善方法としては、図１１に示すようなものが開示されている（例えば、特許文献１参照）。
図１０に示す方法では、評価軸をＲ／Ｇ、Ｂ／Ｇで表すように算出しているが、Ｒ／Ｇ、Ｂ／Ｇでは、割り算を使用するため回路規模が大きくなるという問題があった。そのため、その代替方式として、特許文献１では評価軸に（Ｒ−Ｇ）、（Ｂ−Ｇ）を使用して、割り算を使用せずに回路規模を小さくしようとしている。
【０００５】
【特許文献１】
特開平０９−３０７９２２号公報（段落番号０００７、０００８）
【０００６】
さらに、図１２に示すように、評価軸に（Ｒ＋Ｂ−２Ｇ）および（Ｒ−Ｂ）を使用して、白判定をさらに簡単にするよう工夫したものもある。
【０００７】
【発明が解決しようとする課題】
しかしながら、どのような白判定方式を採用したとしても、撮像装置においては、光学フィルタ、固体撮像素子、画像信号処理前段のフロントエンド処理などの性能差、個体差があるため、必ず白判定条件の調整が必要となる。
従来の白判定方法では、判定方法の検討のみで、白判定条件の調整方法についての言及がなく、その白判定条件が正しいかどうかは、白判定結果を特殊な装置を用いてモニタリングするか、白一面の画像など特殊な画像を入力して、その結果から推測するしか方法がなかった。
【０００８】
本発明は、上記従来の問題を解決するためになされたもので、白判定条件の正しさを目視で判断可能にすることにより、白判定条件の調整を容易にし、撮像環境に応じた白判定条件の微調整を容易にする画像処理装置を提供するものである。
【０００９】
【課題を解決するための手段】
本発明における画像処理装置は、画像信号を入力する画像入力手段と、前記画像信号を白判定条件に基づき画素単位で白範囲を判定する白判定手段と、前記白判定手段における白判定の結果選定された色情報を白判定した画像情報に重畳する画像信号重畳手段と、重畳した前記画像情報を出力する画像出力手段と、前記白判定条件を調整する白判定条件調整手段とを有するという構成を有している。この構成により、画像出力信号に重畳した白判定結果を目視で判断可能にすることにより、白判定条件の正しさが判断でき、白判定条件の調整が容易になる。
【００１０】
本発明における画像処理装置は、前記画像信号重畳手段が、白範囲と判定された画素に固有の色を割り当てるという構成を有している。この構成により、白判定結果を画像で目視により白判定条件の正しさが判断でき、白判定条件の調整が容易になる。
【００１１】
本発明における画像処理装置は、前記画像信号重畳手段が、前記白判定手段における入力画像信号のサンプリング間隔より前記画像情報を重畳する間隔を落とすという構成を有している。この構成により、画像信号重畳のサンプリングを減らすことで、隣接する画素には元の色が表示されるため、より正確に白素判定の正しさが判断でき、白判定条件の調整が容易になる。
【００１２】
本発明における画像処理装置は、前記画像信号重畳手段が、前記白判定手段における白判定の結果前記白判定条件を満たさなかった画素の白判定結果情報に対応する設定色を前記白判定条件を満たさなかった画素に重畳するという構成を有している。この構成により、白と判定されるべき画素がどの条件を満たさないために白でないと判定されたかが目視によって確認でき、白判定条件の調整が容易になる。
【００１３】
本発明における画像処理装置は、前記画像処理装置が、画像信号処理手段において入力画像信号をディジタル入力画像データに変換し、前記白判定手段は白判定結果情報を数値データで出力し、前記画像信号重畳手段は前記ディジタル入力画像データに対し前記数値データを重畳するという構成を有している。この構成により、白判定結果を単に色を変えるだけではなく、画像の画素データのビット幅分の情報を埋め込むことができるため、白判定条件の正しさが細かく判断でき、白判定条件の調整が容易になる。
【００１４】
本発明における画像処理装置は、前記画像信号重畳手段が、白判定結果情報とともにまたは単独で白判定結果以外の画像情報を前記ディジタル入力画像データに重畳させるという構成を有している。この構成により、白判定の結果だけではなく、他の調整条件の情報を取得することができ、画像信号処理装置の調整が容易になる。
【００１５】
本発明における画像処理装置は、様々な光源下における白パターンを１画面に収めた複数のパターン画像を収納し、前記白判定条件調整手段による前記白判定条件の調整において、被写体として使用する画像チャート板を有するという構成を有している。この構成により、被写体や光源を変えずに、１つの画像チャート板だけで、白判定条件の調整することが可能になる。
【００１６】
本発明における画像処理方法は、画像信号を入力する工程と、前記画像信号を白判定条件に基づき画素単位で白範囲を判定する工程と、前記白判定の結果選定された色情報を白判定した画像情報に重畳する工程と、重畳した前記画像情報を出力する工程と、前記白判定条件を調整する工程とを有するという構成を有している。この構成により、画像出力信号に重畳した白判定結果を目視により判断することが可能になり、白判定条件の調整が容易になる。
【００１７】
本発明におけるプログラムは、コンピュータに、画像信号を入力する工程と、前記画像信号を白判定条件に基づき画素単位で白範囲を判定する工程と、前記白判定の結果選定された色情報を白判定した画像情報に重畳する工程と、重畳した前記画像情報を出力する工程と、前記白判定条件を調整する工程とを実行させるという構成を有している。この構成により、画像出力信号に重畳した白判定結果を目視により判断することが可能になり、白判定条件の調整が容易になる。
【００１８】
本発明におけるコンピュータ読み取り可能な記録媒体は、請求項９に記載のプログラムを記録したという構成を有している。この構成により、プログラムに従って動作するマイコンに搭載することで、画像出力信号に重畳した白判定結果を他のコンピュータにより目視で判断することが可能になり、白判定条件の調整が容易になる。
【００１９】
【発明の実施の形態】
以下、添付図面に基づき、本発明の第１ないし第７の実施の形態を詳細に説明する。
（第１の実施の形態）
まず、図１を参照して、本発明の第１の実施の形態における画像処理装置の構成を説明する。図１に示す画像処理装置は、ＣＣＤやＣＭＯＳなどの固体撮像素子を有し固体撮像素子からの映像信号をＡＤ変換するフロントエンドである画像入力手段１１と、ディジタルサンプリングされた生のデータに対して、ＹＣ分離、光量調整、ホワイトバランス調整などの画像処理を施す信号処理ＬＳＩである画像信号処理手段１２と、画像信号処理手段１２で画像信号処理中の画像データを入力画像とするため画像信号処理手段１２と同じＬＳＩ内の回路に実現され、白検出を判定する白判定手段１３と、画像信号処理手段１２の出力画像信号を入力とするため、画像信号処理手段１２と同じＬＳＩ内の回路として実現し、画像信号処理手段１２の出力画像信号に白判定手段１３の判定結果を重畳する画像信号重畳手段１４と、同じＬＳＩ内に実現され、アナログ出力の場合はＮＴＳＣエンコーダやＰＡＬエンコーダなどを使用し、ディジタル出力の場合にはＲＥＣ６５６エンコーダやＲＥＣ６０１エンコーダなどを使用し、ユーザの制御により判定結果が重畳された画像信号を出力するか判定結果が重畳されない画像信号を出力する画像出力手段１５と、白判定手段１３とのインタフェースとしてＬＳＩのレジスタにより実現される入出力手段を有し、シリアル通信等により外部とのデータの授受が可能であり、ユーザにより白判定条件等の設定値を指定することができる白判定条件調整手段１６とを有する。
【００２０】
次に、図１を参照して、本発明の第１の実施の形態における画像処理装置の動作を説明する。図１に示す画像処理装置において、画像入力手段１１はＣＣＤやＣＭＯＳなどの固体撮像素子からの映像信号をＡＤ変換してディジタル画像信号に変換する（アナログ処理する場合は、ＡＤ変換処理を省略する）。次に、画像入力手段１１からのディジタル画像信号は、画像信号処理手段１２において、ＹＣ分離、光量調整、ホワイトバランス調整などの画像処理を行う。ＹＣ分離、光量調整を行った後、ホワイトバランス制御前の画像信号を分割して、白判定手段１３に入力する。
【００２１】
白判定手段１３に入力する信号は、ＲＧＢ信号と輝度信号とし、出力信号は白検出の判定結果である。画像信号重畳手段１４においては、画像信号処理手段１２の出力画像信号に白判定手段１３の判定結果を重畳する。なお、画像信号重畳手段１４の機能は第２の実施の形態において詳細に説明する。画像重畳方法としては、輝度信号か色信号のいずれかにゲインを掛けたり、一定値を足したり、固定値に置き換えたりするということが考えられる。
【００２２】
さらに、白判定条件調整手段１６を用いて、白判定条件の調整が行われる。白判定条件調整手段１６は、カメラの調整時に機能するものであり、通常使用時はユーザの指定により、画像信号処理手段１２の信号をそのまま画像出力手段１５から出力する通常の映像出力が可能である。
【００２３】
画像出力手段１５は、ＮＴＳＣなどにエンコードされた画像を出力し、ＢＮＣケーブルなどでモニタに接続して表示することができ、ユーザはモニタを見て、白判定の正しさを確認できる。以上の動作はリアルタイムに連続的に繰り返し可能である。なお、白判定方法は図１０とともに後述する。
【００２４】
（第２の実施の形態）
次に、図２及び図３を参照して、本発明の第２の実施の形態における画像処理装置について説明する。本実施の形態における画像処理装置は、第１の実施の形態の構成及び動作ともに大きくは変わらないが、図２に示す画像信号重畳手段１４は図１に示す画像処理装置とは、以下の点で異なることを特徴とする。
【００２５】
図２は本実施の形態における画像信号重畳手段１４を示す。画像信号重畳手段１４はユーザが色を指定する入出力手段としての外部レジスタを有し、回路上に固定値が検出されたことが目視でわかるように、白以外の画像信号である黒色や、赤、青などの彩度の強い色を指定する固定値指定手段２１と、入力画像が白と判定された場合はオン、白と判定されなかった場合はオフとする白判定手段１３（図１）からの２値信号である白判定信号と、ユーザが白判定信号を重畳することを指定する場合はオン、指定しない場合はオフとする２値信号のユーザスイッチ信号とのアンドを取るアンド回路２３と、アンド回路２３によって固定値指定手段２１から固定値を出力するか通常の映像信号を出力するかを切り替える信号切替え手段２２とを有する。
【００２６】
次に、図３を参照して、本発明の第２の実施の形態における画像処理装置の動作、特に出力する画像信号の値を入力画像の代わりに固定色（または固定値）に置き換える方法を用いた場合の入力画像の変化を説明する。
図３において、入力画像３１は、白いマスク３４をした人物の画像であり、マスク以外は白色の物体は存在しない画像である。いま、固定値指定手段２１の固定値を黒色とし、ユーザスイッチ信号をオンして信号切替え手段２２に対し、入力画像の代わりに固定値に置き換えるよう指示した場合、画像処理装置３２の白判定条件が正しければ、すなわち、マスク３４だけが白と判定されれば、出力画像３３は、マスク３４の部分だけが固定値（例として黒色）に置き換えられたマスク３５を有する画像が出力される。
このように、ユーザは、ユーザスイッチ信号をオンオフするのみで、白いマスク３４が正しく固定値（この場合は黒色）に置き換えられたかどうか確認することができる。
【００２７】
（第３の実施の形態）
次に、図４及び図５を参照して、本発明の第３の実施の形態における画像処理装置について説明する。本実施の形態における画像処理装置は、第２の実施の形態の構成及び動作ともに大きくは変わらないが、図４に示す画像信号重畳手段１４は図２に示す画像信号重畳手段１４とは、以下の点で異なることを特徴とする。
【００２８】
図４に示す固定値指定手段２１及び信号切替え手段２２は図２に示すものと同様であるが、図４に示す本実施の形態におけるアンド回路２３は、図２に示すアンド回路２３に対し、さらにその入力信号としてサンプリング信号４１を加えて構成される。
サンプリング信号４１は、オン、オフや、オン、オン、オフ、オフなど、オンオフを繰り返すことによりサンプリング数を減らすための信号であり、白判定信号の入力画像信号に対する重畳を間引くという作用を有する。
【００２９】
次に、図５を参照して、本発明の第３の実施の形態における画像処理装置の動作、特に出力する画像信号の値を入力画像の代わりに固定色に置き換える方法を用いた場合の入力画像の変化を説明する。
入力画像５１は、図３の入力画像３１と同様、白いマスク５４をした人物の画像であり、マスク５４以外は白色の物体は存在しない画像である。固定値を黒色とし、図３では、画像処理装置３２の白判定条件が正しければければ、出力画像３３では、マスク３４の部分だけが黒色に置き換えられた画像が出力されるが、図５では図３と異なり、入力画像５１に対する固定色の重畳が間引かれるため、白いマスク５４の地の部分が入力画像５１に残り、ユーザは、ユーザスイッチ信号をオンオフせずとも、変換前の物体の色と、変換後の固定色（黒）とを同時に見ることができる。
【００３０】
そのため、間引き間隔が小さいと入力画像５１に対し固定色を網掛けしたように重畳され、間引き間隔が大きいと、変換前の物体の色（白）と、変換後の固定色（黒）とを同一画面上に同時に確認することができる。
以上、説明したように、本実施の形態における画像信号重畳手段１４は、白判定手段１３における入力画像３１のサンプリング間隔より重畳する画像情報の間隔を落とすことにより、隣接する画素には元の色が表示されるため、より正確に白素判定の正しさが判断でき、白判定条件の調整が容易になる。
【００３１】
（第４の実施の形態）
次に、図６及び図１０を参照して、本発明の第４の実施の形態における画像処理装置について説明する。本実施の形態における画像処理装置は、第１の実施の形態の構成及び動作ともに大きくは変わらないが、画像信号重畳手段１４における白判定結果の確認方法について下記のような特徴を有する。
【００３２】
図１０の示す白判定方式では、以下に示す４つの白判定条件式により白判定が行われる。
Ｒ／Ｇ＞Ｘ０
Ｂ／Ｇ＞Ｘ１
Ｒ／Ｇ＋Ｂ／Ｇ＞Ｘ２
Ｒ／Ｇ＋Ｂ／Ｇ＜Ｘ３
【００３３】
上記白判定条件式において、Ｒ，Ｇ，Ｂは画像信号のＲ，Ｇ，Ｂ成分であり、Ｘ０〜Ｘ４はユーザが設定する白判定条件のパラメータである。このパラメータを調整することにより、必要に応じ白判定条件を変更することができる。
すなわち、白判定条件を調整するということは、このパラメータＸ０〜Ｘ４の値を調整するということであり、そのためには、どの白判定条件において白以外と判定されたかを知る必要がある。
【００３４】
図６には、白以外と判定されたのはどの条件によるかをユーザに知らせるための設定色の例を示す。この設定色は画像信号重畳手段１４において「０〜２５５」（値が高い方が濃い色を表わす）の値に設定される。いま、Ｒ，Ｇ，Ｂが各８ビットとした場合、白判定手段１３において入力画像信号が白以外の範囲と判定された場合には、白判定手段１３から信号ＮＧが出力され、画像信号重畳手段１４は受信した信号ＮＧに対応して、設定されている設定色０〜２５５を入力画像信号と置き換えることができる。
【００３５】
図６には、白判定条件がＮＧの場合の色の置き換え例を示したものであり、例えば、Ｒ／Ｇ＞Ｘ０の条件が満たされない場合は、画素のＲ成分を２５５に置き換えるということを示す。
すなわち、Ｒ／Ｇ＞Ｘ０が満たされない場合には、Ｒ成分が低いと推測できるので、Ｒ＝２５５とすることにより、通常画像の色との差が大きくなることが期待でき、濃いＲ成分が画像出力手段１５から出力され、白成分と明確に区別することができる。同様にしてＢ、Ｇの配色も行われる。
【００３６】
また、複数の白判定条件が満たされない場合、例えば、Ｒ／Ｇ＞Ｘ０を満たさず、かつ、Ｂ／Ｇ＞Ｘ１が満たされない場合には、入力画像信号をＲ＝２５５、Ｂ＝２５５に置き換えて、画素をマゼンタ色にして、２つの白判定条件が満たされなかったことが目視でわかるようにする。
【００３７】
（第５の実施の形態）
次に、図７及び図１０を参照して、本発明の第５の実施の形態における画像処理装置について説明する。本実施の形態における画像処理装置は、第１の実施の形態の構成及び動作ともに大きくは変わらないが、画像信号にディジタル信号を使用するため、画像信号重畳手段１４における白判定結果の確認方法及び画像出力方法において、下記のような特徴を有する。
本実施の形態における白判定方式は、図１０に示すＲ／Ｇ、Ｂ／Ｇの評価軸を使用した場合の例について説明する。
【００３８】
図１０に示す白判定方式は、第４の実施の形態で示したと同様に、４つの白判定条件式を使用する。
出力画像信号がディジタル出力であるという条件下では、アナログ信号と異なり、ビットレベルでの正確な情報伝達が可能となる。
そこで、ディジタル出力の標準的な出力形式ＲＥＣ６５６、ＲＥＣ６０１などでは、ＹＵＶ４２２フォーマットにより１画素に１６ビットの色深度をもつ。図７は輝度信号８ビットに対し、白判定の結果に４ビットを割り付けるようにしたビット割付け例を示す。
【００３９】
白判定の結果に下位ビットを割り付けることにより、画像に大きな影響を与えることなく判定結果を伝達することができる。
逆に、白判定の結果に上位ビットを割り当てることにより、画像に影響を与え、目視でも判定結果が見えるようにすることも可能である。
【００４０】
（第６の実施の形態）
次に、図８を参照して、本発明の第６の実施の形態における画像処理装置について説明する。本実施の形態における画像処理装置は、第１の実施の形態の構成及び動作ともに大きくは変わらないが、第５の実施の形態同様に、画像信号にディジタル信号を使用し、白判定の結果に４ビットを割り付けるようにした上、第４、第５の実施の形態で示した方法を使用して、白判定以外の画像情報も同時にビットで画像情報に埋め込むことができるようにしたものである。
【００４１】
図８は、第５の実施の形態におけるビット割付けは、白判定の結果に２ビット追加して、輝度成分の判定結果〔輝度＜Ｘ４、輝度＞Ｘ５〕を埋め込むためのビット割付け例を示す。
以上述べた方法により、白判定の結果以外の情報、例えば、輝度の飽和判定結果などの画像情報に埋め込むことが可能となる。
【００４２】
（第７の実施の形態）
次に、図９を参照して、本発明の第７の実施の形態における画像処理装置について説明する。本発明の第７の実施の形態は、本発明の第１ないし第６の実施の形態における画像処理装置を有効に実施するために、白判定条件調整手段１６による白判定条件の調整において、画像チャート板９１を被写体として使用することが本実施の形態における特徴である。
【００４３】
画像チャート板９１（色温度カラーチャート画像を有する）は、カメラ調整用の透過型パターンボックス用のカラーチャートであり、白判定調整用に、色温度を変えた色温度フィルタまたはパターン画像９２が配置される。
画像チャート板９１はこの色温度を変えた色温度フィルタ９２を複数埋め込んだもの１つで、主要な光源を表現することができる。すなわち、この画像チャート板９１を被写体として使用して撮影することにより、第１ないし第６の実施の形態で示した画像処理装置を使用した場合に、どの色温度フィルタ９２（光源）を白と判定するかを確認することができる。
【００４４】
なお、ここでは、透過型パターンボックス用のチャートとして説明したが、反射型の色温度チャートとしても実現可能である。
また、図９に示す、色温度の範囲は、２０００ケルビンないし１００００ケルビンを１０００ケルビンステップで配置したが、これ以外の色温度幅、ステップで色温度チャートを作ることも可能である。
【００４５】
【発明の効果】
本発明における画像処理装置は、上記のように構成され、特に、入力画像を画素単位で白判定し、入力画像に判定結果を重畳させて出力画像を生成するようにして、白判定条件を調整できるようにしたことにより、白判定条件の調整を容易にし、画像処理装置の評価時間を低減し、撮像環境に応じた白判定条件を設定することができる。
【図面の簡単な説明】
【図１】本発明の第１の実施の形態における画像処理装置の構成を示すブロック図、
【図２】本発明の第２の実施の形態における画像信号重畳手段の構成を示すブロック図、
【図３】本発明の第２の実施の形態における画像処理装置の入力画像及び出力画像のイメージ例を示す図、
【図４】本発明の第３の実施の形態における画像信号重畳手段の構成を示すブロック図、
【図５】本発明の第３の実施の形態における画像処理装置の入力画像及び出力画像のイメージ例を示す図、
【図６】本発明の第４の実施の形態の画像信号重畳手段における白判定結果に対する各色の設定色の例を示す図、
【図７】本発明の第５の実施の形態の画像信号重畳手段に対する画像信号に白判定結果を伝達するためのビット割付の例を示す図、
【図８】本発明の第６の実施の形態の画像信号重畳手段に対する画像信号に輝度判定結果を埋め込むためのビット割付の例を示す図、
【図９】本発明の第７の実施の形態における被写体として使用する色温度チャート図を示す図、
【図１０】従来の、Ｒ／Ｇ、Ｂ／Ｇを評価軸とした白判定グラフを示す図、
【図１１】従来例、（Ｒ−Ｇ）、（Ｂ−Ｇ）を評価軸とした白判定グラフを示す図、
【図１２】従来例、（Ｒ−Ｂ）、（Ｒ＋Ｂ−２Ｇ）を評価軸とした白判定グラフを示す図。
【符号の説明】
１１  画像入力手段
１２  画像信号処理手段
１３  白判定手段
１４  画像信号重畳手段
１５  画像出力手段
１６  白判定条件調整手段
２１  固定値指定手段
２２  信号切替手段
２３  アンド回路
３１、５１  入力画像
３２、５２  画像処理装置
３３、５３  出力画像
３４、５４  白いマスク
３５  固定値に置き換えられたマスク
４１  サンプリング信号
９１  画像チャート板
９２  色温度フィルタ
１０１  評価軸
１０２、１１２  黒体評価軌跡
１０３  白判定条件
１０４、１１１、１２１  白色の範囲
【図１】
2004179939.tif 000003
【図２】
2004179939.tif 000004
【図３】
2004179939.tif 000005
【図４】
2004179939.tif 000006
【図５】
2004179939.tif 000007
【図６】
2004179939.tif 000008
【図７】
2004179939.tif 000009
【図８】
2004179939.tif 000010
【図９】
2004179939.tif 000011
【図１０】
2004179939.tif 000012
【図１１】
2004179939.tif 000013
【図１２】
2004179939.tif 000014